(57)【要約】【課題】  本発明は魚釣用電動リールに関し、使用環境の厳しい釣場に於て、状況に応じた使用態様（電動巻取り，手動巻取り）に対応可能な手動併用型の魚釣用電動リールを提供することを目的とする。【解決手段】  リール本体に回転可能に支持されたスプールと、リール本体に装着され、スプールを巻取り操作するハンドルと、リール本体に装着され、リール本体の給電コード接続部に接続した給電コードを介して接続される外部電源によりスプールを巻取り駆動するスプールモータと、釣糸の繰出し量と巻取り量を計測表示する糸長計測装置と、通電回路に接続された電源の電圧を監視する監視手段と、所定の電圧条件を設定記憶した記憶手段と、監視手段の監視結果と上記電圧条件に基づき、少なくともスプールモータによる巻取り駆動が可能な電動モードと、糸長計測装置のみが駆動可能なハンドルによる手動モードとに給電状態を切換制御する制御手段とを備えたことを特徴とする。【選択図】    図１０
2005333899.tif 000002
【特許請求の範囲】
【請求項１】
リール本体に回転可能に支持されたスプールと、
リール本体に装着され、スプールを巻取り操作するハンドルと、
リール本体に装着され、リール本体の給電コード接続部に接続した給電コードを介して接続される外部電源によりスプールを巻取り駆動するスプール駆動モータと、
釣糸の繰出し量と巻取り量を計測表示する糸長計測装置と、
通電回路に接続された電源の電圧を監視する監視手段と、
所定の電圧条件を設定記憶した記憶手段と、
監視手段の監視結果と上記電圧条件に基づき、少なくともスプール駆動モータによる巻取り駆動が可能な電動モードと、糸長計測装置のみが駆動可能なハンドルによる手動モードとに給電状態を切換制御する制御手段と、
を備えたことを特徴とする魚釣用電動リール。
【請求項２】
電圧条件は、或る設定電圧と所定時間に亘るその通電時間であることを特徴とする請求項１に記載の魚釣用電動リール。
【発明の詳細な説明】
【技術分野】
【０００１】
本発明は、リール本体に回転自在に取り付くスプールを巻取り駆動するスプール駆動モータを備えた魚釣用電動リールに関する。
【背景技術】
【０００２】
船釣り等、一般に深場の魚層を対象とした魚釣りを行う場合、魚釣用電動リール（以下、「電動リール」という）が広く使用されている。
従来周知のようにこの電動リールは、スプール駆動モータ（以下、「スプールモータ」という）の駆動でスプールを回転させて釣糸の巻取りを行うもので、今日では、スプールモータによる釣糸の巻取り操作に加え、リール本体に装着したハンドルの操作で釣糸の巻取りを可能とした手動併用型の電動リールが一般的である。
【０００３】
そして、従来、この種の電動リールには、正確な棚取りを行って釣果の向上を図るため、スプール等の回転数に基づき釣糸の繰出し量や巻取り量を計測して糸長（計測値）を表示器に表示する糸長計測装置が装着されている。そして、スプールモータや糸長測定装置を作動させるため、リール本体の給電コード接続部（レセプタクル）に給電コードを接続して、この給電コードをバッテリ（外部電源）に接続している。
【０００４】
しかし、手動併用型の電動リールは、ハンドルによる釣糸の巻取り操作が可能であるとはいえ、給電しなければ糸長測定装置が作動しないために正確な棚取りを行うことができず、このため、従来、糸長測定装置を使用するために釣場にバッテリや給電コードを持参して給電していたのが実情であり、携帯性に劣っていた。
一方、特許文献１には、リール本体の給電コード接続部にカバー部材を着脱自在に装着すると共に、当該カバー部材に、給電コード接続部への装着時にスプールモータを除く電動機器を作動させる作動用電源を取り付けた電動リールが開示されており、また、特許文献２には、給電コード接続部に外部主電源と予備電源を選択的に接続可能とすると共に、外部主電源と予備電源の何れが給電コード接続部に接続されているかを検知する検知手段を当該給電コード接続部に設けて、予備電源接続時に糸長計測装置のみを駆動制御するように構成した電動リールが開示されている。
【特許文献１】特開平１０−１１３１０６号公報
【特許文献２】特開平１０−２１５７３８号公報
【発明の開示】
【発明が解決しようとする課題】
【０００５】
しかし、特許文献１の電動リールにあっては、給電コード接続部へのカバー部材の装着時に、如何にこれを検知し、スプールモータへの給電を遮断してその駆動停止を図るのかが不明である。
また、特許文献２の電動リールは、給電コード接続部内にリードスイッチを装着してこれを前記検知手段とすると共に、予備電源の電源プラグの端面中央に当該リードスイッチをＯＮ／ＯＦＦさせるマグネットを組み込んだ構造のため、給電コード接続部や電源プラグの構造が複雑になってこれらが大型化してしまう欠点が指摘されていた。
【０００６】
更にこの電動リールは、着脱される部分（レセプタクルや電源プラグ）にリードスイッチとマグネットを装着した構造のため、外力の影響や着脱の繰り返し、また、海水やゴミ等の付着によって検知機能に支障を来し易い等の不具合もあった。
本発明は斯かる実情に鑑み案出されたもので、構造の簡素化によって携帯性に優れ、且つ使用環境の厳しい釣場に於て、状況に応じた使用態様（電動巻取り，手動巻取り）に対応可能な手動併用型の電動リールを提供することを目的とする。
【課題を解決するための手段】
【０００７】
斯かる目的を達成するため、請求項１に係る電動リールは、リール本体に回転可能に支持されたスプールと、リール本体に装着され、スプールを巻取り操作するハンドルと、リール本体に装着され、リール本体の給電コード接続部に接続した給電コードを介して接続される外部電源によりスプールを巻取り駆動するスプールモータと、釣糸の繰出し量と巻取り量を計測表示する糸長計測装置と、通電回路に接続された電源の電圧を監視する監視手段と、所定の電圧条件を設定記憶した記憶手段と、監視手段の監視結果と上記電圧条件に基づき、少なくともスプールモータによる巻取り駆動が可能な電動モードと、糸長計測装置のみが駆動可能なハンドルによる手動モードとに給電状態を切換制御する制御手段とを備えたことを特徴とする。
【０００８】
そして、請求項２に係る発明は、請求項１に記載の電動リールに於て、電圧条件は、或る設定電圧と所定時間に亘るその通電時間であることを特徴とする。
【発明の効果】
【０００９】
各請求項に係る発明によれば、監視手段により、リール本体内の通電回路に接続される電源容量を自動的に計測して、制御手段がこの計測値を基に「手動モード」と「電動モード」の夫々のモードに給電状態を切換制御する構成としたので、従来の如く給電コード接続部を特別な構成にする必要がなくなって構造の簡素化が図れると共に、外力の影響や着脱の繰り返し、また、海水やゴミ等の付着による検知機能の不具合の発生を防止でき、使用環境の厳しい釣場に於ても、状況に応じた使用態様（電動巻取り，手動巻取り）に問題なく対応できる利点を有する。
【発明を実施するための最良の形態】
【００１０】
以下、本発明の実施形態を図面に基づいて詳細に説明する。
図１は請求項１及び請求項２の一実施形態に係る電動リールを示し、図中、１はリール本体３のフレーム、５，７は当該フレーム１の左右に取り付く側板で、両側板５，７間にスプール軸９を介してスプール１１が回転可能に支持されており、スプール軸９はスプール１１の軸心を貫通し、軸受１３，１５を介して側板５，７間に回転可能に支持されている。
【００１１】
而して、従来と同様、スプール１１は、スプールモータ１７の駆動やハンドル１９の巻取り操作で回転して釣糸が巻回されるようになっており、スプールモータ１７はスプール１１前方のフレーム１に一体成形されたモータケース２１内に収納されている。
そして、ハンドル１９側の側板７の上部前方には、特許第２９７７９７８号公報で開示された電動リールと同様、スプールモータ１７のモータ出力を調節するレバー形状のモータ出力調節体（以下、「パワーレバー」という）２３がハンドル１９と同方向へ回転操作可能に取り付けられており、当該パワーレバー２３の操作で、リール本体３上部の制御ボックス２５内に装着したマイクロコンピュータがスプールモータ１７のモータ出力をモータ停止状態から高出力値まで連続的に増減して、スプール１１の巻取り速度を制御するようになっている。
【００１２】
また、側板７の後部には、当該側板７内に装着した周知のクラッチ機構２７を操作するクラッチレバー２９が下方向へ押圧操作可能に取り付けられており、当該クラッチレバー２９の押圧操作で、クラッチ機構２７がクラッチＯＮからクラッチＯＦＦに切り換わるようになっている。
そして、このクラッチＯＦＦ状態でハンドル１９を巻取り方向へ回転させると、図示しない周知の復帰機構を介してクラッチ機構２７がクラッチＯＮ状態に復帰するように構成されており、このクラッチ機構２７のクラッチＯＮ／ＯＦＦの切換えでスプール１１が釣糸巻取り状態と釣糸繰出し状態とに切り換わって、スプール１１へのスプールモータ１７やハンドル１９の動力が伝達／遮断されるようになっている。
【００１３】
一方、図１中、３０はスプール１１の回転数とその回転方向を検出する回転検出手段で、回転検出手段３０は、フレーム１に装着された一対のリードスイッチ３１と、これに対向してスプール１１の一端側周縁部に固着された複数のマグネット３３とで構成されており、リードスイッチ３１はマイクロコンピュータのＣＰＵ（制御手段）に接続されている。
【００１４】
而して、ＣＰＵは、後述する「手動モード（手動巻取りモード）」と「電動モード（電動巻取りモード）」に於て、特開平５−１０３５６７号公報で開示された糸長計測装置と同様、リードスイッチ３１から出力されるスプール１１の正転，逆転の判定信号を取り込んで釣糸の繰出しか巻取りかを判定すると共に、リードスイッチ３１から取り込むスプール１１の回転パルス信号をカウントして、この計数値を基に、マイクロコンピュータのＲＯＭ（記憶手段）に記憶された糸長計測プログラムの糸長計算式を演算実行するようになっている。
【００１５】
そして、ＣＰＵは、その計測値（糸長）を表示駆動回路を介して制御ボックス２５の操作パネル３５上に設けた表示器３７に表示させるが、図２及び図３に示すように表示器３７の中央には上カラ表示部３９と棚カラ表示部４１が上下２段に並列して設けられており、上カラ表示部３９に水面からの仕掛けの水深が表示され、棚カラ表示部４１に棚からの仕掛けの距離が表示されるようになっている。
【００１６】
また、表示器３７の左下のモード表示部４３に、ＣＰＵの現在のモード状態（「手動モード」であるか「電動モード」であるか）が「手動」，「電動」の文字で表示されるようになっている。
ここで、棚位置の設定について説明すると、上述したようにＣＰＵは、リードスイッチ３１からの回転パルス信号を基に糸長を演算，計測して上カラ表示部３９に表示させるが、図１に示すように表示器３７に隣接してハンドル１９側の操作パネル３５上に押釦式のリセットスイッチ４５と棚メモスイッチ４７が設けられており、これらはマイクロコンピュータに接続されている。そして、実釣の開始に伴い、釣糸が竿先から水面まで繰り出された処で釣人がリセットスイッチ４５を押圧操作すると、上カラ表示部３９の表示値が「０．０」にリセットされるようになっている。
【００１７】
この後、釣人が釣糸を繰り出していくと、ＣＰＵで演算，計測された糸長が上カラ表示部３９に表示され、釣糸が例えば９５．５ｍ繰り出された処で釣人が棚メモスイッチ４７を押圧操作すると、棚カラ表示部４１に「０．０」が表示されて棚位置が設定され、以後、図２及び図３に示すように棚位置から例えば１５ｍの釣糸の巻取りに伴う仕掛けの距離と水面からの繰出し量（水深）が、夫々、棚カラ表示部４１と上カラ表示部３９に表示されるように構成されている。
【００１８】
また、図示しないが表示器３７内にはバックライトが装備されており、表示器３７に隣接して反ハンドル１９側の操作パネル３５上にそのＯＮスイッチ４８が装着され、バックライトはこのＯＮスイッチ４８の押圧操作で所定時間（例えば５秒間）だけ点灯する。
そして、図４乃至図７に示すように反ハンドル側の側板５の下部前方に給電コード接続部（レセプタクル）４９が配設されており、給電コード接続部４９に給電コード５３のコネクタ５１を接続して、釣場に持参したバッテリ（例えば１２Ｖの外部電源）に給電コード５３の鰐口クリップを接続すると、パワーレバー２３の操作でスプールモータ１７が駆動し、また、マイクロコンピュータに給電されて、釣糸の繰出しや巻取りに伴い糸長がＣＰＵで演算，計測されて表示器３７に表示されるが、図４乃至図９に示すように本実施形態に係る電動リール５５には、上述の如き従来と同様の構成に加え、給電コード接続部４９に抜け止め固定した環状の固定部材５７とこれに一体成形された変形可能な連結部材５９を介して、樹脂製のキャップ６１が給電コード接続部４９に着脱可能に装着されている。
【００１９】
図８及び図９に示すようにキャップ６１には、給電コード接続部４９の外周に設けた係止部６３に係止可能な環状の弾性係止片６５が設けられており、当該弾性係止片６５と係止部６３との係脱で、キャップ６１が給電コード接続部４９に着脱される。
そして、キャップ６１内には、予備電源として６Ｖのボタン電池６７が交換可能に一つ収容されており、図８の如く弾性係止片６５を係止部６３に係止してキャップ６１を給電コード接続部４９に装着すると、ボタン電池６７の電極に繋がる接触子６９，７１が給電コード接続部４９側の端子７３，７５に接触して、ボタン電池６７からマイクロコンピュータに給電されるようになっている。
【００２０】
而して、マイクロコンピュータのＣＰＵは、斯様にボタン電池６７から給電されたり、図６の如く給電コード５３が接続されて外部の１２Ｖのバッテリ（主電源）から給電されると、先ず、この初期通電状態で「手動モード」となって、図２の如くモード表示部４３に「手動」の文字を表示させるように設定されている。
この「手動モード」は、外部の１２Ｖのバッテリによるモータ駆動に代え、ハンドル１９による手動専用リールとして電動リール５５を使用可能とするもので、「手動モード」に於て、ＣＰＵは、ハンドル１９の巻取り操作に伴うリードスイッチ３１からの回転パルス信号を基に、既述したリセットスイッチ４５と棚メモスイッチ４７による棚取りを含む糸長計測プログラムのみを実行して計測値を表示器３７に表示させると共に、スプールモータ１７やバックライト等の多くの電気を使用する機器の駆動系統への給電を遮断させるようになっている。
【００２１】
そして、給電コード接続部４９からマイクロコンピュータへの通電回路には、給電コード接続部４９に接続された電源の電圧（電源容量）を自動的に検知する電圧計測器（監視手段）が装着されており、当該電圧計測器の計測値はＣＰＵに入力されている。
一方、マイクロコンピュータのＲＯＭには、一例として「９Ｖ以上で連続１０秒の検出」という電圧条件が予め設定，記憶されており、ＣＰＵは、既述した初期通電状態の「手動モード」の開始に伴い、電圧計測器の計測値を基に給電コード接続部４９に接続された電源電圧を所定時間監視して、電圧条件が満たされない場合、即ち、「９Ｖ以上の電圧が連続１０秒以上検出」されない間は「手動モード」を維持するようになっている。
【００２２】
そして、電圧計測器が「９Ｖ以上の電圧を連続１０秒以上検出」すると、その信号を入力したＣＰＵは、電圧条件を満たしたと判断して「手動モード」から「電動モード」に移行し、スプールモータ１７やバックライト等の駆動系統への給電を開始すると共に、糸長計測プログラムの実行を継続するようになっている。
この結果、この「電動モード」に於て、スプールモータ１７がパワーレバー２３の操作で駆動し、また、ＯＮスイッチ４８の操作でバックライトが点灯すると共に、釣糸の繰出しや巻取りに伴い糸長が演算，計測されて表示器３７に表示され、また、図３の如くモード表示部４３に「電動」の文字が表示されることとなる。
【００２３】
その他、図５乃至図７に於て、７７は給電コード５３のコネクタ５１の外周に相対回転可能、且つ長手方向へ移動可能に取り付く締付具で、当該締付具７７が給電コード接続部４９の係止部６３の外周に設けたねじ部７９に螺合して、給電コード接続部５３に接続したコネクタ５１（給電コード５３）の脱落防止を図っている。
本実施形態はこのように構成されているから、釣場にバッテリや給電コード５３を忘れたり、釣場の状況に応じ１２Ｖのバッテリを用いずハンドル１９による手動専用として使用する際には、図８の如く給電コード接続部４９にキャップ６１を装着すればよい。
【００２４】
而して、斯様にキャップ６１を装着すると、ボタン電池６７からマイクロコンピュータに給電されるので、ＣＰＵはこの初期通電状態で「手動モード」となって（図１０のステップＳ１）、図２の如くモード表示部４３に「手動」の文字を表示させると共に、電圧計測器からの信号を基に、電源電圧が電圧条件を満たしているか否かの判定を開始する（ステップＳ２，３）。
【００２５】
しかし、給電コード接続部４９にはキャップ６１が装着されて６Ｖの予備電源たるボタン電池が繋がっているため、電圧条件が満たされることはない。
従って、「手動モード」が維持され、ＣＰＵはステップＳ１に戻ってハンドル１９の巻取り操作に伴うリードスイッチ３１からの回転パルス信号を基に、リセットスイッチ４５と棚メモスイッチ４７による棚取りを含む糸長計測プログラムのみを実行して計測値を表示器３７に表示させると共に、スプールモータ１７やバックライト等の駆動系統への給電を遮断し、ＣＰＵはステップＳ１〜３のルーチンを繰り返す。
【００２６】
そして、図２の如くモード表示部４３に「手動」の文字が表示される。
この後、釣人が給電コード接続部４９からキャップ６１を外して給電コード５３を接続し、或いは実釣開始の当初から給電コード接続部４９に給電コード５３を接続すると、１２Ｖのバッテリから電圧条件を満たす電流が給電されることとなる。
このため、ＣＰＵは、電圧計測器からの信号を基に電源電圧が電圧条件を満たしているとステップＳ２，３で判定して、ステップＳ４に進んで「電動モード」に自動的に切り換わり、スプールモータ１７やバックライト等の駆動系統への給電を開始すると共に、糸長計測プログラムの実行を継続する。
【００２７】
従って、スプールモータ１７がパワーレバー２３の操作で駆動し、ＯＮスイッチ４８の操作でバックライトが点灯すると共に、釣糸の繰出しや巻取りに伴い糸長が演算，計測されて表示器３７に表示され、また、図３の如くモード表示部４３に「電動」の文字が表示される。
このように本実施形態は、給電コード接続部４９からマイクロコンピュータへの通電回路に装着した電圧計測器（監視手段）により、給電コード接続部４９に接続される電源容量を自動的に計測して、ＣＰＵがこの計測値を基に「手動モード」と「電動モード」の夫々のモードに給電状態を切換制御する構成としたので、釣場にバッテリや給電コード５３を忘れたり、釣場の状況に応じバッテリを用いず手動専用として使用する際に糸長を計測して棚取りができることは勿論、特許文献２の従来例の如く給電コード接続部を特別な構成にする必要がなくなって構造の簡素化が図れると共に、外力の影響や着脱の繰り返し、また、海水やゴミ等の付着による検知機能の不具合の発生を防止でき、使用環境の厳しい釣場に於ても、状況に応じた使用態様（電動巻取り，手動巻取り）に問題なく対応できる利点を有する。
【００２８】
尚、上記実施形態では、給電コード接続部４９にキャップ６１を装着してボタン電池６７から給電されたり、給電コード５３が接続されて外部の１２Ｖのバッテリから給電されると、この初期通電状態でＣＰＵが「手動モード」となって既述した電圧条件を監視するように構成したが、初期通電状態でＣＰＵが先ず「電動モード」となるように構成して、「９Ｖ以上で連続１０秒の検出」という電圧条件が満たされない場合に「手動モード」に切り換わるように構成してもよい。
【００２９】
而して、この実施形態によっても、上記実施形態と同様、使用環境の厳しい釣場に於ても、状況に応じた使用態様（電動巻取り，手動巻取り）に問題なく対応できる利点を有する。
また、予備電源は、前記ボタン電池６７の如く給電コード接続部４９に接続される外部電源以外に、リール本体内部に内蔵して通電回路に接続させるように構成してもよいし、更にまた、その形態や電源容量または給電状態を切換制御する電圧条件は、使用条件に応じて適宜設定される。
【００３０】
図１１は予備電源の他の形態を示し、この予備電源８１は、小径な筒状のケーシング８３内に２つの小さなリチウム電池８５を直列に接続して６Ｖの電圧をリール本体３に給電するもので、ケーシング８３の先端に、給電コード５３のコネクタ５１と同一構造のコネクタ５１-1が取り付けられている。
そして、この実施形態に於ても、給電コード接続部４９に予備電源８１を装着してリチウム電池８５から給電されたり、給電コード５３が１２Ｖのリチウムイオンバッテリ（主電源）８７に接続されて給電されると、この初期通電状態でＣＰＵが「手動モード」となって既述した電圧条件を監視するように構成されている。そして、その他の構成は図１の実施形態と同様である。
【００３１】
而して、上記予備電源８１を用いた本実施形態によっても、特許文献２の従来例の如く給電コード接続部４９を特別な構成にする必要がなくなるため、構造の簡素化が図れ、使用環境の厳しい釣場に於て、状況に応じた使用態様（電動巻取り，手動巻取り）に問題なく対応することが可能となる。
【図面の簡単な説明】
【００３２】
【図１】請求項１及び請求項２の一実施形態に係る電動リールの平面図である。
【図２】「手動モード」に於ける表示器の表示状態の説明図である。
【図３】「電動モード」に於ける表示器の表示状態の説明図である。
【図４】図１に示す電動リールの側面図である。
【図５】リール本体の給電コード接続部の側面図である。
【図６】給電コードを接続した給電コード接続部の拡大断面図である。
【図７】給電コードを外した給電コード接続部の拡大断面図である。
【図８】キャップを装着した給電コード接続部の拡大断面図である。
【図９】キャップを外した給電コード接続部の拡大断面図である。
【図１０】マイクロコンピュータの制御フローチャートである。
【図１１】予備電源の他の形態を用いた請求項１及び請求項２の他の実施形態に係る電動リールの側面図である。
【符号の説明】
【００３３】
３  リール本体
１１  スプール
１７  スプールモータ
１９  ハンドル
２３  パワーレバー
２５  制御ボックス
２９  クラッチレバー
３０  回転検出手段
３１  リードスイッチ
３７  表示器
３９  上カラ表示部
４１  棚カラ表示部
４３  モード表示部
４５  リセットスイッチ
４７  棚メモスイッチ
４８  ＯＮスイッチ
４９  給電コード接続部
５１，５１-1  コネクタ
５３  給電コード
５５  電動リール
６１  キャップ
６７  ボタン電池
６９，７１  接触子
７３，７５  端子
７７  締付具
８１  予備電源
８３  ケーシング
８５  リチウム電池
８７  リチウムイオンバッテリ
【図１】
2005333899.tif 000003
【図２】
2005333899.tif 000004
【図３】
2005333899.tif 000005
【図４】
2005333899.tif 000006
【図５】
2005333899.tif 000007
【図６】
2005333899.tif 000008
【図７】
2005333899.tif 000009
【図８】
2005333899.tif 000010
【図９】
2005333899.tif 000011
【図１０】
2005333899.tif 000012
【図１１】
2005333899.tif 000013